(57)【特許請求の範囲】
【請求項１】
引出し付きのキャビネットであって、
引出し方向に引出し可能な引出しと、
前記引出しの幅方向に前記引出しと隣接して配置された側板と、
前記引出しに取付けられた踏み台機構と、を有し、
前記踏み台機構は、前記引出しから展開される展開位置と前記引出しに収納される収納位置との間を回動可能な踏み板を含む踏み板組立体を有し、この踏み板組立体は、前記引出しに取付けられた基端部を有し、
前記側板は、前記展開位置にある前記踏み板にかかる荷重の少なくとも一部分を前記踏み板組立体の基端部を介して支持する支持部を有し、
前記踏み板組立体の基端部は、前記側板の支持部に支持される被支持部分を有し、この被支持部分は、前記踏み板が展開位置にあるときに前記側板の支持部によって支持される支持位置と、前記踏み板が収納位置にあるときに前記引出しを引出し可能に前記側板の支持部から退避する退避位置との間を移動可能であることを特徴とするキャビネット。
【請求項２】
前記踏み板組立体は、前記引出しに取付けられた基端部を含む平行四辺形型リンクを有し、
前記踏み板は、前記平行四辺形型リンクに固定され、
前記平行四辺形型リンクは、前記基端部から延び且つ前記引出しの幅方向に互いにずらして配置された第１のリンク及び第２のリンクを有し、
前記踏み板組立体の被支持部分は、前記第１のリンク及び前記第２のリンクのうちの前記側板に近い方のリンクに設けられることを特徴とする請求項１に記載のキャビネット。
【請求項３】
前記側板の支持部は、前記踏み板組立体の被支持部分が前記支持位置にあるときに前記被支持部分が引出し方向に移動することを阻止する阻止部を有することを特徴とする請求項１又は２に記載のキャビネット。
【請求項４】
前記踏み板組立体の被支持部分は、前記幅方向に延びる軸の周りに回動可能であり、前記被支持部分が支持位置にあるときに前記側板の支持部に当接する平らな当接面と、この当接面と連続し且つ前記被支持部分が支持位置と退避位置との間を移動するときに前記側板の支持部に対して摺動する湾曲面と、を有することを特徴とする請求項１〜３のいずれか１項に記載のキャビネット。
【請求項５】
前記踏み板組立体の被支持部分は、それが前記支持位置にあるときに前記側板の支持部に当接する平らな当接面を有し、且つ、前記幅方向に延びる軸の周りに回動し、
前記当接面は、前記軸を通り且つ前記当接面に対して垂直に延びる軸線の引出し方向両側に延び、
前記引出しは、前記側板に対して上方に移動可能であることを特徴とする請求項１〜３のいずれか１項に記載のキャビネット。
【発明の詳細な説明】
【技術分野】
【０００１】
本発明は、キャビネットに関し、更に詳細には、引出し付きのキャビネットに関する。
【背景技術】
【０００２】
キャビネットは、例えば、台所キャビネット、洗面所キャビネット、書棚キャビネットとして使用され、典型的には、物を収容するための引出しを有している。例えば、引出しを有する台所キャビネット又は洗面台キャビネットにおいて、その上方に設置された棚に収容されたものを取出したり、背の低い子供が台所キャビネット又は洗面台キャビネットを使用するのを補助したりするために、引出しに踏み台機構を備えたキャビネットが知られている（例えば、特許文献１参照）。
【０００３】
図１０は、踏み台機構を備えた従来の台所キャビネットの一例の概略図である。台所キャビネット１００は、レール１０２に沿って引出し方向に引出し可能な引出し１０４と、引出しに取付けられた踏み台機構１０６とを有し、踏み台機構１０６は、引出し１０４から水平方向に展開された展開位置１０８ａと引出し１０４の前面パネル１１０に収納される収納位置（図示せず）との間を回動可能な踏み板１０８と、展開位置１０８ａにある踏み板１０８の先端部１１０を台所キャビネット１００の設置面に対して支持する脚１１２とを有している。
【０００４】
この台所キャビネット１００では、踏み板１０８が展開位置１０８ａにあるとき、踏み板１０８の上に人が乗ることによって、台所キャビネット１００の上方に設置された棚に収容されたものを取出したり、背の低い子供が台所キャビネット１００を使用するのを補助したりすることができる。
【０００５】
【特許文献１】特開２００４−９７２８５号公報（図３及び図５等）
【発明の開示】
【発明が解決しようとする課題】
【０００６】
上述した台所キャビネット１００では、展開位置１０８ａにある踏み板１０８の上に人が乗ったときの荷重が、踏み板１０８に取付けられた脚１１２と引出し１０４とにかかる。引出し１０４の方にかかる荷重は、モーメントとして働き、引出し１０４の引出し易さに悪影響を及ぼすことがある。特に、引出し１０４に取付けられているレール１０２は、一般的には、引出し１０４に収容されるものを支持するのに十分な耐荷重しか有しておらず、例えば、大人が踏み板１０８の上に乗ったときの重量を支持するのに十分な耐荷重を有していない。また、レール１０２は、子供が踏み板１０８の上に飛び乗ったときに受ける衝撃荷重に耐え得る耐荷重も有していない。その結果、レール１０２の変形等により、引出し１０４の引出し具合が悪くなったり、レール１０２が破損したりすることがある。
【０００７】
そこで、本発明は、人が踏み板に乗ったときに引出しにかかる荷重を軽減することができるキャビネットを提供することにある。
【課題を解決するための手段】
【０００８】
上記目的を達成するために、本発明によるキャビネットは、引出し付きのキャビネットであって、引出し方向に引出し可能な引出しと、引出しの幅方向に引出しと隣接して配置された側板と、引出しに取付けられた踏み台機構と、を有し、踏み台機構は、引出しから展開される展開位置と引出しに収納される収納位置との間を回動可能な踏み板を含む踏み板組立体を有し、この踏み板組立体は、引出しに取付けられた基端部を有し、側板は、展開位置にある踏み板にかかる荷重の少なくとも一部分を踏み板組立体の基端部を介して支持する支持部を有し、踏み板組立体の基端部は、側板の支持部に支持される被支持部分を有し、この被支持部分は、踏み板が展開位置にあるときに側板の支持部によって支持される支持位置と、踏み板が収納位置にあるときに引出しを引出し可能に側板の支持部から退避する退避位置との間を移動可能であることを特徴としている。
【０００９】
このように構成されたキャビネットによれば、踏み板が展開位置にあるとき、踏み板組立体の基端部の被支持部分は、側板の支持部によって支持される支持位置にあるので、人が踏み板組立体の上に乗ったときの荷重の少なくとも一部分が、踏み板組立体の被支持部分を介して側板の支持部にかかる。それにより、引出しにかかる荷重の少なくとも一部分が軽減され、最も好ましくは、荷重が引出しにかからなくなる。また、踏み板が収納位置にあるとき、踏み板組立体の被支持部分は、側板の支持部から退避した退避位置にあり、キャビネットの引出しを引出すことができる。
【００１０】
上記本発明のキャビネットにおいて、好ましくは、踏み板組立体は、引出しに取付けられた基端部を含む平行四辺形型リンクを有し、踏み板は、平行四辺形型リンクに固定され、平行四辺形型リンクは、基端部から延び且つ引出しの幅方向に互いにずらして配置された第１のリンク及び第２のリンクを有し、踏み板組立体の被支持部分は、第１のリンク及び第２のリンクのうちの側板に近い方のリンクに設けられる。
【００１１】
このように構成されたキャビネットでは、踏み板は、平行四辺形型リンクによって展開位置と収納位置との間を回動する。第１のリンク及び第２のリンクを、引出しの幅方向にずらして配置することにより、収納位置における第１のリンク及び第２のリンクの引出し方向スペースを小さくすることができる。この場合、踏み板組立体の被支持部分を第１のリンク及び第２のリンクのうちの側板に近いほうのリンクに設けているので、被支持部分が側板から遠い方のリンクに設けられるときと比較して、側板にモーメント荷重が加わらない。その結果、踏み板組立体の被支持部分及び側板の支持部は、踏み板の上に乗った人の荷重を効果的に支持することができる。
【００１２】
また、上記本発明のキャビネットにおいて、好ましくは、側板の支持部は、踏み板組立体の被支持部分が支持位置にあるときに被支持部分が引出し方向に移動することを阻止する阻止部を有する。
【００１３】
このように構成されたキャビネットでは、踏み板が展開位置にあるときに引出しを引出そうとすると、踏み板組立体の被支持部分が引出しと共に引出し方向に移動するけれども、その移動は、側板の阻止部によって阻止されるので、引出しを引出すことができない。それにより、踏み板が展開位置にあるとき、踏み板組立体の被支持部分が側板の支持部分に支持される状態が維持され、人が踏み板に乗ったときに引出しにかかる荷重の少なくとも一部分を確実に軽減することができる。
【００１４】
また、上記本発明のキャビネットにおいて、好ましくは、踏み板組立体の被支持部分は、幅方向に延びる軸の周りに回動可能であり、被支持部分が支持位置にあるときに側板の支持部に当接する平らな当接面と、当接面と連続し且つ被支持部分が支持位置と退避位置との間を移動するときに側板の支持部に対して摺動する湾曲面と、を有する。
【００１５】
このように構成されたキャビネットでは、踏み板組立体の被支持部分が軸の周りに回動して支持位置と退避位置との間を移動するとき、当接面に連続した湾曲面と支持部とが摺動することにより、踏み板組立体の被支持部分から側板の支持部に加わる力が連続的に変化し、支持位置と退避位置との間の被支持部分の移動をスムーズにすることができる。
【００１６】
また、上記本発明のキャビネットにおいて、好ましくは、踏み板組立体の被支持部分は、それが支持位置にあるときに側板の支持部に当接する平らな当接面を有し、且つ、幅方向に延びる軸の周りに回動可能であり、当接面は、軸を通り且つ当接面に対して垂直に延びる軸線の引出し方向両側に延び、引出しは、側板に対して上方に移動可能である。
【００１７】
このように構成されたキャビネットでは、支持位置にある踏み板組立体の被支持部分の当接面は、側板の支持部に当接する。一般的には、当接面が、被支持部分の回動軸を通り且つ当接面と垂直である軸線の引出し方向両側に延びている場合、被支持部分が回動するときに当接面が部分的に支持部に押付けられる。しかしながら、引出しが側板に対して上方に移動することができるので、当接面が支持部に対して持上げられ、被支持部分は、退避位置まで回動することができる。被支持部分の当接面が軸線の引出し方向両側に延びているので、被支持部分が軸線の引出し方向片側にしか延びていない場合と比較して、踏み板組立体に乗った人の荷重を効果的に支持することができる。
【発明の効果】
【００１８】
上述したように、本発明によるキャビネットは、人が踏み板に乗ったときに引出しにかかる荷重の少なくとも一部分を軽減することができる。
【発明を実施するための最良の形態】
【００１９】
以下、図面を参照して、本発明によるキャビネットの実施形態を詳細に説明する。
最初に、図１〜図５を参照して、本発明の第１の実施形態を説明する。図１は、本発明の第１の実施形態であるキャビネットの斜視図である。図２は、踏み板組立体が展開位置にあるときのキャビネットの側面断面図である。図３は、図２の線３−３における部分的な平面図である。図４は、踏み板組立体が中間位置にあるときのキャビネットの側面断面図である。図５は、踏み板組立体が収納位置にあるときのキャビネットの側面断面図である。
【００２０】
図１に示すように、キャビネット１は、引出し付きのキャビネットであり、設置面Ｇに置かれた枠構造体２と、枠構造体２に対して引出し方向Ａに引出し可能に且つ上下３段に設けられた引出し３、４、５と、中段の引出し４に取付けられた踏み台機構６とを有している。後述するように、図１に示す踏み台機構６は、展開されている。なお、以下の説明において、キャビネット１に向かって引出し方向Ａの手前側及び奥側をそれぞれ、前側及び後側と称する。また、引出し３、４、５及び踏み台機構６は、キャビネット１の幅方向Ｂの中心に位置する平面（図示せず）に対して左右対称に構成されており、上記平面に向かう方向を内方と称し、上記平面から離れる方向を外方と称する。
【００２１】
枠構造体２は、底板８と、底板８に固定され且つ引出し３、４、５の幅方向両側に引出し３、４、５と隣接して配置された側板１０と、側板１０の上に取付けられたカウンタープレート１２とを有している。キャビネット１が、キッチンキャビネット又は洗面キャビネットの場合、上段の引出し３を設けないで、カウンタープレート１２にシンク（図示せず）が設けられてもよい。
【００２２】
図２に示すように、上段の引出し３及び下段の引出し５はそれぞれ、収納部３ａ、５ａと、前面パネル３ｂ、５ｂとを有しており、側板１０との間に設けられたレール１４ａ、１４ｃに沿って引出し方向Ａに摺動可能である。上段の引出し３の前面パネル３ｂは、１枚の板材で形成されている。下段の引出し５の前面パネル５ｂは、引出し３、５を閉めたときに上段の引出し３の前面パネル３ｂと整列する上板５ｃと、上板５ｃよりも後方に配置され且つそれよりも下方に延びる下板５ｄと、上板５ｃと下板５ｄとを連結する連結部材５ｅとを有している。
【００２３】
中段の引出し４は、収納部４ａと、前面部材４ｂとを有しており、側板１０との間に設けられたレール１４ｂに沿って引出し方向Ａに摺動可能である。前面部材４ｂは、踏み台機構６を収納するために前方に開口した凹部４ｃを有している。また、引出し４は、側板１０に対して上方に移動可能であり、即ち、レール１４ｂに対して僅かに持上げることが可能である。
【００２４】
踏み台機構６は、引出し４から展開される展開位置１８ａ（図１及び図２参照）と引出し４の前面部材４ｂの凹部４ｃに収納される収納位置１８ｂ（図５参照）との間を回動可能な踏み板１８を含む踏み板組立体１９と、踏み板１８が展開位置１８ａにあるときに、踏み板組立体１９を設置面Ｇに対して支持する脚部材２０とを有している。脚部材２０は、板材で構成され、踏み板１８が収納位置１８ｂにあるときに上段の引出し３の前面パネル３ｂ及び下段の引出し５の前面パネル５ｂの上板５ｃと面一になるように構成され（図５参照）、且つ、踏み板１８が展開位置１８ａにあるときに設置面Ｇに当接するように構成されている。
【００２５】
詳細には、図２〜図５に示すように、踏み板組立体１９は、引出し４の幅方向両側において前面部材４ｂに取付けられた一対の平行四辺形型リンク２２を有し、この一対の平行四辺形型リンク２２の上に踏み板１８が固定されている。平行四辺形型リンク２２は、引出し４の前面部材４ｂの下部に且つ凹部４ｃ内に取付けられた基端部２２ａと、脚部材２０に取付けられた先端部２２ｂとを有している。踏み板１８は、展開位置１８ａにおいて、水平方向に延び（図２参照）、収納位置１８ｂにおいて、上下方向に延びている（図５参照）。一対の平行四辺形型リンク２２の構造は、左右対称であるので、以下、引出しに向かって右側の平行四辺形型リンク２２の説明だけを行い、左側の平行四辺形型リンク２２の説明を省略する。
【００２６】
平行四辺形型リンク２２は、引出し４の前面部材４ｂに取付けられた基端ブラケット２６と、脚部材２０に取付けられた先端ブラケット２８と、基端ブラケット２６から先端ブラケット２８まで互いに平行に延びる第１のリンク３０及び第２のリンク３２とを有している。第１のリンク３０及び第２のリンク３２はそれぞれ、軸３０ａ及び軸３２ａを介して基端ブラケット２６に回動可能に取付けられ、且つ、軸３０ｂ及び軸３２ｂを介して先端ブラケット２８に回動可能に取付けられている。また、図３に示すように、第１のリンク３０及び第２のリンク３２は、基端ブラケット２６及び先端ブラケット２８よりも幅方向内方において、幅方向Ｂに互いにずらして配置されている。４つの軸３０ａ、３０ｂ、３２ａ、３２ｂは、好ましくは、踏み板１８が収納位置１８ｂにあるときに第１のリンク３０と第２のリンク３２とが幅方向Ｂに重なるように配置される。また、４つの軸３０ａ、３０ｂ、３２ａ、３２ｂは、踏み板１８が展開位置１８ａにあるときに、第１のリンク３０が第２のリンク３２よりも側板１０から遠くに位置し且つ第２のリンク３２よりも上方に取付けられるように配置されている。
【００２７】
第２のリンク３２は、断面が上下方向に細長い板の形態をなしている。第１のリンク３０は、断面がアングル形であり、第２のリンクと平行な垂直部分３０ｃと、その上端から水平方向内方に延びる水平部分３０ｄとを有している。踏み板１８は、引出し４の幅方向両側の第１のリンク３０の水平部分３０ｄにまたがって延び且つそれにねじ留めされている。
【００２８】
また、側板１０は、踏み板１８が展開位置１８ａにあるときに踏み板組立体１９の基端部２２ａを支持する支持部３６を有しており、それに対応して、平行四辺形型リンク２２の基端部２２ａは、側板１０の支持部３６に支持される被支持部分３８を有している。
【００２９】
詳細には、側板１０の支持部３６は、平行四辺形型リンク２２の下方において、側板１０から幅方向内方に突出し、被支持部分３８を支持する平らな上面３６ａを有している。また、第１のリンク３０よりも側板１０に近い第２のリンク３２は、踏み板１８が展開位置１８ａにあるときに軸３２ａから下方に延びる被支持部分、即ち、延長部３８を有している。このとき、延長部３８は、支持部３６の上面３６ａによって支持される支持位置３８ａ（図２参照）にある。延長部３８は、踏み板１８の回動とともに軸３２ａを中心に回動可能である。かくして、踏み板１８が収納位置１８ｂにあるとき、延長部３８は、軸３２ａから前方に延び且つ側板１０の支持部３６から上方に離れ、引出し４を引出し可能に支持部３６から退避する退避位置３８ｂ（図５参照）にある。
【００３０】
第２のリンク３２の延長部３８は、それが支持位置３８ａにあるときに側板１０の支持部３６に当接し且つ実質的に水平方向に延びる平らな当接面３８ｃを有し、好ましくは、当接面３８ｃから連続して後方に且つ上方に湾曲して延びる湾曲面３８ｄを有している。この湾曲面３８ｄは、延長部３８が支持位置３８ａと退避位置３８ｂとの間を移動するときに側板１０の支持部３６に対して摺動可能である（図４参照）。また、当接面３８ｃは、軸３２ａを通り且つ当接面３８ｃに対して垂直に延びる軸線４０の引出し方向両側に延びることが好ましい。また、延長部３８が支持位置３８ａにあるとき、引出し４はレール１４ｂから持上げられることが好ましい。
【００３１】
また、側板１０の支持部３６は、支持面３６ａの引出し方向４ａ手前側において支持面３６ａから上方に延びる突出部３６ｂとを有している。この突出部３６ｂは、第２のリンク３２の延長部３８が支持位置３８ａにあるときに延長部３８、即ち、引出し４が引出し方向手前側に移動することを阻止する阻止部として機能する。
【００３２】
次に、本発明の第１の実施形態であるキャビネットの動作を説明する。
図２に示すように、踏み板１８の展開位置１８ａにおいて、踏み板組立体１９は、基端部２２ａから水平方向に延びている。また、脚部材２０は、踏み板組立体１９の先端部２２ｂから下方向に設置面Ｇまで延びている。第２のリンク３２の延長部３８は、支持位置３８ａにあり、その当接面３８ｃは、側板１０の支持部３６の支持面３６ａよって支持されている。
【００３３】
従って、人が踏み板１８の上に乗ったとき、荷重は、踏み板組立体１９の基端部２２ａ及び先端部２２ｂにかかる。先端部２２ｂにかかる荷重は、脚部材２０を介して設置面Ｇによって支持される。基端部２２ａにかかる荷重の少なくとも一部分は、第２リンク３２の延長部３８、側板１０の支持部３６及び底板８を介して設置面Ｇに支持される。従って、基端部２２ａから引出し４及びレール１４ｂにかかる荷重は軽減され、好ましくは、引出し４及びレール１４ｂに荷重はかからない。
【００３４】
また、延長部３８の当接面３８ｃが軸線４０に対して引出し方向両側に延びているので、延長部３８の回動の際の延長部３８と側板１０の支持部３６との接触を回避するために延長部３８の当接面３８ｃが軸線４０に対して引出し方向片側にだけ延びている場合と比べて、支持面積を大きくすることができ、それにより、人が踏み板１８の上に乗ったときの荷重を効果的に支持することができる。
【００３５】
また、踏み板１８が展開位置１８ａにある状態で、引出し４を引出し方向Ａの手前側に引出すと、踏み板組立体１９の延長部３８が側板１０の支持部３６の突出部３６ｂに当たり、それ以上、引出し４を引出すことを阻止することができる。
【００３６】
次に、図４に示すように、踏み板１８を展開位置１８ａと収納位置１８ｂとの間の中間位置１８ｃに回動させる。踏み板１８の回動に連動して、脚部材２０は、上下方向の姿勢を保ちながら上方に且つ引出し４に近づくように移動する。踏み板１８が中間位置１８ｃにあるとき、延長部３８の当接面３８ｃが軸線４０の引出し方向４ａ両側に延びているので、踏み板組立体１９が側板１０の支持部３６に対して上方に持上げられると共に、引出し４がレール１４ｂに対して上方に持上げられる。その際、延長部３８は、当接面３８ｃの後方の湾曲面３８ｄにより、スムーズな回動を続けることができる。
【００３７】
次に、図５に示すように、踏み板１８を収納位置１８ｂまで回動させる。踏み板組立体１９は、基端部２２ａから上方向に延び、先端部２２ｂは、引出し４の前面部材４ｂの上部に隣接している。また、脚部材２０は、上段の引出し３の前面パネル３ｂ及び下段の引出し５の前面パネル５ｂの上板５ｅと面一になる。第２リンク３２の延長部３８は、退避位置３８ｂにあり、基端部２２ａからほぼ水平方向に延び、側板１０の支持部３６の突出部３６ｂよりも上の位置にある。従って、引出し４を引出すとき、延長部３８と側板１０の支持部３６とは干渉しない。
【００３８】
次に、図６及び図７を参照して、本発明によるキャビネットの第２の実施形態を説明する。図６は、本発明の第２の実施形態のキャビネットの部分的な側面図である。図７は、図６のキャビネットの部分的な平面図である。
【００３９】
図６及び図７に示すように、第２の実施形態のキャビネット５０は、平行四辺形型リンク２２の構成が異なること以外、第１の実施形態のキャビネットと同様の構成を有しているので、相違する部分だけを説明し、共通する部分の説明を省略する。
【００４０】
平行四辺形型リンク２２は、第１の実施形態のキャビネットと同様、引出し４の前面部材４ｂに取付けられた基端ブラケット２６と、脚部材２０に取付けられた先端ブラケット２８と、基端ブラケット２６から先端ブラケット２８まで互いに平行に延びる第１のリンク３０及び第２のリンク３２とを有している。しかしながら、図７に示すように、第１のリンク３０及び第２のリンク３２は、基端ブラケット２６及び先端ブラケット２８よりも幅方向Ｂ外方において、幅方向Ｂに互いにずらして配置されている。また、４つの軸３０ａ、３０ｂ、３２ａ、３２ｂは、踏み板１８が展開位置１８ａにあるときに、第１のリンク３０が第２のリンク３２よりも側板１０から近くに位置し且つ第２のリンク３２よりも上方に取付けられるように配置されている。
【００４１】
第２のリンク３２よりも側板１０に近い第１のリンク３０は、踏み板１８が展開位置１８ａにあるときに軸３０ａから第２のリンク３２を越えて下方に延びる被支持部分、即ち、延長部５４を有しており、延長部５４は、支持部３６の上面３６ａによって支持される支持位置（図６参照）にある。延長部５４は、踏み板１８の回動とともに軸３０ａを中心に回動可能である。かくして、踏み板１８が収納位置１８ｂにあるとき、延長部５４は、軸３０ａから前方に延び且つ側板１０の支持部３６から上方に離れ、引出し４を引出し可能に支持部３６から退避する退避位置（図示せず）にある。
【００４２】
第１のリンク３０の延長部５４は、それが支持位置（図６参照）にあるときに側板１０の支持部３６に当接し且つ実質的に水平方向に延びる平らな当接面５４ｃを有し、好ましくは、当接面５４ｃから後方に且つ上方に湾曲して延びる湾曲面５４ｄを有している。この湾曲面５４ｄは、延長部５４が支持位置（図６参照）と退避位置（図示せず）との間を移動するときに側板１０の支持部３６に対して摺動可能である。また、当接面５４ｃは、軸３０ａを通り且つ当接面５４ｃに対して垂直に延びる軸線５６に対して引出し方向両側に延びることが好ましい。また、延長部５４が支持位置（図６参照）にあるとき、引出し４はレール１４ｂから持上げられることが好ましい。
【００４３】
本発明の第２の実施形態であるキャビネット５０の動作は、第１の実施形態のキャビネット１の第２のリンク３２の延長部３８の動作を第２の実施形態のキャビネット５０の第１のリンク３０の延長部５４の動作に置き換えること以外、第１の実施形態であるキャビネット１の動作と同様である。
【００４４】
次に、図８及び図９を参照して、本発明によるキャビネットの第３の実施形態を説明する。図８は、本発明の第３の実施形態のキャビネットの部分的な側面図である。図９は、図８のキャビネットの部分的な平面図である。
【００４５】
図８及び図９に示すように、第３の実施形態のキャビネット６０は、平行四辺形型リンク２２の構成及び支持部３６が異なること以外、第１の実施形態のキャビネット１と同様の構成を有しているので、相違する部分だけを説明し、共通する部分の説明を省略する。
【００４６】
平行四辺形型リンク２２は、第１の実施形態のキャビネット１と同様、引出し４の前面部材４ｂに取付けられた基端ブラケット２６と、脚部材２０に取付けられた先端ブラケット２８と、基端ブラケット２６から先端ブラケット２８まで互いに平行に延びる第１のリンク３０及び第２のリンク３２とを有している。しかしながら、図９に示すように、第１のリンク３０及び第２のリンク３２は、基端ブラケット２６及び先端ブラケット２８よりも幅方向Ｂ外方において、幅方向Ｂに互いにずらして配置されている。また、４つの軸３０ａ、３０ｂ、３２ａ、３２ｂは、踏み板１８が展開位置１８ａにあるときに、第１のリンク３０が第２のリンク３２よりも側板１０から近くに位置し且つ第２のリンク３２よりも上方に取付けられるように配置されている。
【００４７】
側板１０は、踏み板１８が展開位置１８ａにあるときに踏み板組立体１９を支持する支持部６２を有しており、それに対応して、平行四辺形型リンク２２の基端部２２ａは、側板１０の支持部６２に支持される被支持部分６４を有している。
【００４８】
詳細には、側板１０の支持部６２は、平行四辺形型リンク２２の上方において、側板１０から幅方向内方に突出し、被支持部分６４を支持する平らな上面６２ａを有している。また、第２のリンク３２よりも側板１０に近い第１のリンク３０は、踏み板１８が展開位置１８ａにあるときに軸３０ａから延びる被支持部分、即ち、延長部６４を有している。延長部６４は、第１のリンク３０の垂直部分３０ｃから外方に延びる第１の部分６４ａと、支持部６２の後方において第１の部分６４ａから上方に延びる第２の部分６４ｂと、第２の部分６４ｂから前方に延びる第３の部分６４ｃとを有している。第３の部分６４ｃは、延長部６４が支持部６２の上面６２ａによって支持される支持位置（図８参照）にあるときに支持部６２の上面６２ａに上方から引っ掛かるように当接し且つ実質的に水平方向に延びる平らな当接面６４ｄを有している。延長部６４は、踏み板１８の回動とともに軸３０ａを中心に回動可能である。かくして、踏み板１８が収納位置１８ｂにあるとき、延長部６４は、軸３０ａから後方に延び且つ側板１０の支持部６２から下方に離れ、引出し４を引出し可能に支持部６２から退避する退避位置（図示せず）にある。
【００４９】
また、延長部６４の第２の部分６４ｂは、第１のリンク３０の延長部６４が支持位置（図８参照）にあるときに延長部６４、即ち、引出し４が引出し方向手前側に移動することを阻止する阻止部として機能する。
【００５０】
次に、本発明の第３の実施形態であるキャビネット６０の動作を説明する。なお、第１の実施形態であるキャビネット１の動作と同じ動作の説明は省略する。
【００５１】
図８に示すように、踏み板１８が展開位置１８ａにあるとき、第１のリンク３０の延長部６４は、支持位置にあり、その当接面６４ｄは、側板１０の支持部６２の支持面６２ａよって支持されている。このとき、延長部６４の当接面６４ｄは、軸３０ａよりも前方に位置している。また、踏み板１８が展開位置１８ａにある状態で、引出し４を引出し方向Ａの手前側に引出すと、踏み板組立体１９の延長部６４の第２の部分６４ｂが側板１０の支持部６２に当たり、それ以上、引出し４を引出すことを阻止することができる。
【００５２】
次に、踏み板１８を収納位置１８ｂまで回動させる。第１のリンク３０の延長部６４は、退避位置にあり、基端部２２ａからほぼ水平方向後方に延び、側板１０の支持部６２よりも下に位置する。従って、引出し４を引出すとき、延長部６４と側板１０の支持部６２とは干渉しない。
【００５３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
上述したキャビネット１、５０、６０は、引出しがあれば、台所キャビネットであってもよいし、洗面台キャビネットであってもよいし、書棚キャビネットであってもよいし、その他のキャビネットであってもよい。
また、上述したキャビネット１、５０、６０において、側板１０は幅方向外側に露出していてもよい。また、引出し３、４、５は、３段に限らず、その他の段数であってもよい。また、踏み台機構６が設けられる引出しは、中段でなくてもよい。
また、脚部材２０は、踏み板１８が展開位置１８ａにあるときの踏み板組立体１９を支持することができれば、その形状は板状に限らず、棒状等であってもよい。また、上述した実施形態では、脚部材２０の移動は、踏み板組立体１９の回動と連動していたが、踏み板組立体１９の回動と連動していなくてもよい。例えば、踏み板１８を展開した後、手動で、脚部材２０を、踏み板組立体１９を支持する位置に移動させてもよい。この場合、平行四辺形型リンク２２の代わりに、単一のリンクを設けてもよい。また、脚部材２０は、先端部２２ｂと基端部２２ａの間の任意の位置に設けられてもよい。
また、上記実施形態では、踏み板組立体１９の基端部２２ａは、中段の引出し４の前面部材４ｂの下部に取付けられていたが、前面部材４ｂの上部に取付けられてもよい。その場合、踏み板１８が収納位置１８ｂにあるとき、踏み板組立体１９は基端部２２ａから下方に延び、それに応じて、その他の構成要素を変更する必要がある。
【図面の簡単な説明】
【００５４】
【図１】本発明の第１の実施形態であるキャビネットの斜視図である。
【図２】踏み板組立体が展開位置にあるときのキャビネットの側面断面図である。
【図３】図２の線３−３における部分的な平面図である。
【図４】踏み板組立体が中間位置にあるときのキャビネットの側面断面図である。
【図５】踏み板組立体が収納位置にあるときのキャビネットの側面断面図である。
【図６】本発明の第２の実施形態のキャビネットの部分的な側面図である。
【図７】図６のキャビネットの部分的な平面図である。
【図８】本発明の第３の実施形態のキャビネットの部分的な側面図である。
【図９】図８のキャビネットの部分的な平面図である。
【図１０】従来技術のキャビネットの斜視図である。
【符号の説明】
【００５５】
１、５０、６０  キャビネット
４    引出し
６    踏み台機構
１０  側板
１８  踏み板
１８ａ  展開位置
１８ｂ  収納位置
１９  踏み板組立体
２２  平行四辺形型リンク
２２ａ  基端部
３０  第１のリンク
３２  第２のリンク
３０ａ  軸
３２ａ  軸
３６、６２  支持部
３６ｂ  突出部（阻止部）
３８、５４、６４  延長部（被支持部分）
３８ａ  支持位置
３８ｂ  退避位置
３８ｃ、５４ｃ、６４ｄ  当接面
３８ｄ、５４ｄ  湾曲面
４０、５６  軸線
６４ｂ  第２の部分（阻止部）
Ａ  引出し方向
Ｂ  幅方向
【図１】
0004719942.tif 000002
【図２】
0004719942.tif 000003
【図３】
0004719942.tif 000004
【図４】
0004719942.tif 000005
【図５】
0004719942.tif 000006
【図６】
0004719942.tif 000007
【図７】
0004719942.tif 000008
【図８】
0004719942.tif 000009
【図９】
0004719942.tif 000010
【図１０】
0004719942.tif 000011